(57)【要約】【課題】アンカーボルトの垂直や芯出し、レベル出しの作業が簡単に精度よく行なえると共に、基礎用鉄筋の配筋作業が容易なアンカーボルト固定装置を提供する。【解決手段】基礎の捨てコンクリート上に固定配置する底部プレート１２と、この底部プレート１２上に立設した複数本のレベル調整ボルト１３と、このレベル調整ボルト１３で高さの調整が可能となるよう支持された調整プレート１４と、この調整プレート１４上に下端を固定した複数本のアンカーボルト１５と、上記アンカーボルト１５群の上端部に着脱可能に取り付けられ、アンカーボルト１５群の上端部を結合する保持枠１６とで形成され、上記保持枠１６の取り外し後にアンカーボルト１５群の上端部に固定するためのベースプレートを備えている。【選択図】　図１
2004019303.tif 000002
【特許請求の範囲】
【請求項１】
底部プレート上に立設した複数本のレベル調整ボルトで調整プレートを高さの調整が可能となるよう支持し、この調整プレート上に下端を固定した複数本のアンカーボルトを立設し、上記アンカーボルト群の配置を保持するためアンカーボルト群の上端部に着脱可能に取り付けられる保持枠を備えているアンカーボルト固定装置。
【請求項２】
上記アンカーボルト群の上端部に対して、保持枠の取り外し後に固定するベースプレートを備えている請求項１に記載のアンカーボルト固定装置。
【発明の詳細な説明】
【０００１】
【発明の属する技術分野】
この発明は、鉄骨鉄筋コンクリート造又は鉄骨造の建築物の基礎に埋設され、基礎上に立設される鉄骨柱を基礎に固定化するためのアンカーボルトを、基礎のベースコンクリート上に精度よく配置するための固定装置に関する。
【０００２】
【従来の技術】
コンクリート基礎上に立設される鉄骨柱を基礎に固定化するためのアンカーボルトを、基礎内に埋設するには、アンカーボルトの高さや垂直度と軸心等の精度が要求されることになり、このため、基礎コンクリートの打設前にアンカーボルト固定装置により、アンカーボルトの高さや垂直度等を調整して基礎のベースコンクリート上に配置している。
【０００３】
従来のアンカーボルト固定装置（柱脚）としては、例えば、図６と図７に示すような構造のものが提案されている。
【０００４】
図６に示すアンカーボルト固定装置は、アングル材を用いた下枠１の周囲に多数本の支柱２を立設し、この支柱２群の途中及び上端をそれぞれ中枠３と上枠４で結合し、下枠１と中枠３及び上枠４に設けたアンカーボルト固定板５に複数本のアンカーボルト６を上下に挿通し、アンカーボルト６に螺合したナット７を上枠４の上に載せ、ナット７の回動でアンカーボルト６の高さを調節するようになっている。
【０００５】
このようなアンカーボルト固定装置は、基礎のベースコンクリート（捨てコンクリート）上に設置して下枠１を固定し、ナット７を回動させてアンカーボルト６の上端を所定の高さに設定し、配筋後にコンクリートを打設して基礎を構築し、基礎上においてアンカーボルト６の上端にベースプレートを締結するものである。
【０００６】
また、図７に示す他の例のアンカーボルト固定装置は、アングル材を用いた矩形状の下枠１ａの四隅に立設した縦柱２ａの上端にホルダー８を設け、この各ホルダー８に挿通したアンカーボルト６ａをホルダー８に螺装したロックねじ９で固定し、各アンカーボルト６ａの上端を上枠４ａで結合した構造になっている。
【０００７】
このアンカーボルト固定装置は、基礎のベースコンクリートＡ上に設置して下枠１ａを固定し、ロックねじ９の調整でアンカーボルト６ａの上端を所定の高さに設定し、配筋後にコンクリートを打設して基礎を構築し、基礎上において上枠４ａを取り外したアンカーボルト６ａの上端にベースプレートを締結するものである。
【０００８】
【発明が解決しようとする課題】
ところで、アンカーボルト固定装置を設置する基礎のベースコンクリートの上面は、水平の精度が必ずしも正確ではなく、上記のような従来のアンカーボルト固定装置では、何れの構造でも、ベースコンクリートの上面が傾斜している場合の対応が困難であり、アンカーボルトを垂直に配置することができない場合がある。
【０００９】
また、アンカーボルトのレベル出しは、何れの構造でも、個々のアンカーボルトごとに行なわなければならないので、レベル出しの作業に手間がかかるという問題があり、図７で示したアンカーボルト固定装置では、アンカーボルト６ａの下端がホルダー８で支持された構造になっているので、アンカーボルト６ａの直立精度が悪く、基礎コンクリートの打設時に側圧を受けるとアンカーボルト６ａがホルダー８への固定部分を支点に傾斜するため、アンカーボルト６ａの配置に誤差が発生するという問題がある。
【００１０】
更に、基礎用の鉄筋は、アンカーボルト固定装置の内部にわたって配筋する必要があるが、図６で示したアンカーボルト固定装置は、多数本の支柱２とアンカーボルト６が林立する構造になっており、また、図７で示したアンカーボルト固定装置では、縦柱２ａとホルダー８及びアンカーボルト６ａの組み合わせが嵩張り、何れにしても周囲や内部の隙間が少なく、これらが、上記固定装置内への配筋の邪魔になり、配筋作業が行いにくいという問題がある。
【００１１】
そこで、この発明の課題は、アンカーボルトの垂直や芯出し、レベル出しの作業が簡単に精度よく行なえると共に、基礎用鉄筋の配筋作業が容易なアンカーボルト固定装置を提供することにある。
【００１２】
【課題を解決するための手段】
上記のような課題を解決するため、この発明は、底部プレート上に立設した複数本のレベル調整ボルトで調整プレートを高さの調整が可能となるよう支持し、この調整プレート上に下端を固定した複数本のアンカーボルトを立設し、上記アンカーボルト群の配置を保持するためアンカーボルト群の上端部に着脱可能に取り付けられる保持枠を備えている構成を採用したものである。
【００１３】
上記アンカーボルト群の上端部に対して、保持枠の取り外し後に固定するベースプレートを備えている構造とすることができる。
【００１４】
上記底部プレートと調整プレート及び保持枠は、金属プレートを用いてそれぞれ矩形の枠状に形成され、レベル調整ボルトは、底部プレートの上面に起立するよう溶接で固定され、調整プレートにはこのレベル調整ボルトの貫通孔が設けられ、調整プレートの上下においてレベル調整ボルトに螺合したナットで調整プレートを挟むことにより、この調整プレートを支持すると共に、上下ナットの回動で高さの調整が行なえることになる。
【００１５】
また、アンカーボルトは、下端に形成した雄ねじを調整プレートの取り付け孔に挿入し、調整プレートの上下において雄ねじに螺合したナットで調整プレートを挟むことにより、調整プレート上に直立するよう固定されている。
【００１６】
上記保持枠は、アンカーボルトの上端に形成した雄ねじの挿通孔を有し、この保持枠の上下において雄ねじに螺合したナットで保持枠を挟むことにより、アンカーボルトの上端と固定化され、アンカーボルト群の芯出しを行なっている。
【００１７】
この保持枠は、基礎の構築後にアンカーボルト群から取り外し、基礎上に突出するアンカーボルト群の上端の雄ねじにベースプレートの取り付け孔を嵌め、雄ねじに螺合したナットの締め付けで、基礎上にベースプレートが固定化される。
【００１８】
【発明の実施の形態】
以下、この発明の実施の形態を図示例と共に説明する。
【００１９】
図示のように、アンカーボルト固定装置１１は、底部プレート１２と、この底部プレート１２上に立設した複数本のレベル調整ボルト１３と、このレベル調整ボルト１３で高さの調整が可能となるよう支持された調整プレート１４と、この調整プレート１４上に下端を固定した複数本のアンカーボルト１５と、上記アンカーボルト１５群の配置を保持するためアンカーボルト１５群の上端部に着脱可能に取り付けられる保持枠１６とで形成され、この保持枠１６の取り外し後に上記アンカーボルト１５群の上端部に固定するベースプレート１７とを別途備えている。
【００２０】
上記底部プレート１２と調整プレート１４及び保持枠１６は、金属プレートを用いてそれぞれ同じ大きさの矩形枠状に形成され、底部プレート１２の適宜位置には捨てコンクリートへの打ち込み固定具の挿通孔１２ａが設けてあり、レベル調整ボルト１３は、底部プレート１２の上面で平行する一組の二辺の上面で両端部寄りの位置に、合計四本が垂直に起立するよう溶接により固定されている。
【００２１】
また、調整プレート１４には、上記レベル調整ボルト１３と対応する位置に、レベル調整ボルト１３の貫通孔と、四隅と各辺の中間位置に、アンカーボルト１５の取り付け孔が設けられ、貫通孔をレベル調整ボルト１３に挿通した状態で、調整プレート１４の上下においてレベル調整ボルト１３に螺合したナット１８で調整プレート１４を挟むことにより、この調整プレート１４を支持すると共に、上下ナット１８の回動で高さの調整が行なえることになる。
【００２２】
また、アンカーボルト１５は、上下端にそれぞれ雄ねじ１５ａ、１５ｂが形成され、下端の雄ねじ１５ａを調整プレート１４の取り付け孔に上から挿入し、調整プレート１４の上下において下端の雄ねじ１５ａに螺合したナット２０で調整プレート１４を挟むことにより、調整プレート１４上に直立するよう固定されている。このアンカーボルト１５の調整プレート１４への固定は、溶接によって行なうようにしてもよい。
【００２３】
上記保持枠１６は、アンカーボルト１５の上端に形成した雄ねじ１５ｂの挿痛孔が、アンカーボルト１５群に適応する配置で形成され、この保持枠１６の上下において雄ねじ１５ｂに螺合したナット２１で保持枠１６を挟むことにより、アンカーボルト１５の上端と固定化され、アンカーボルト１５群の芯出しを行なっている。
【００２４】
この保持枠１６は、基礎の構築後にアンカーボルト１５群から取り外し、基礎上に突出するアンカーボルト１５群の上端雄ねじ１５ｂにベースプレート１７の取り付け孔を嵌め、雄ねじ１５ｂに螺合したナットの締め付けで、基礎上にベースプレート１７が固定化されることになり、このベースプレート１７上には鉄骨柱２２が予め溶接される。
【００２５】
この発明のアンカーボルト固定装置は、上記のような構成であり、底部プレート１２上に立設した複数本のレベル調整ボルト１３に調整プレート１４を取り付け、この調整プレート１４上に固定した複数本のアンカーボルト１５群の上端を保持枠１６で固定化してアンカーボルト固定装置（柱脚）１１を組み立てる。
【００２６】
鉄骨鉄筋コンクリート造又は鉄骨造の建築物の基礎の構築時において、図４のように、建築物の鉄骨柱を立設する位置のベースコンクリートＡ上に上記した組み立て状態のアンカーボルト固定装置１１を設置する。
【００２７】
ベースコンクリートＡ上に設置したアンカーボルト固定装置１１は、底部プレート１２の挿通孔１８から捨てコンクリートＡに固定具を打ち込むことで固定する。このとき、ベースコンクリートＡの水平度に対してアンカーボルト１５の垂直芯出しは、底部プレート１２とベースコンクリートＡの間にワッシャ等をかますことによって調整することができる。
【００２８】
次に、レベル調整ボルト１３に螺合した上下のナット１８を回動させることにより、調整プレート１４を上下させることで、この調整プレート１４に固定したアンカーボルト１５のレベル出しを行なう。この調整時に、各レベル調整ボルト１５における調整プレート１４の上下を調整することで、アンカーボルト１５の垂直芯出しの微調整を行なうことができる。
【００２９】
このように、調整プレート１４にアンカーボルト１５が固定してあるので、アンカーボルト１５の垂直芯出しとレベル出しが簡単に能率よく行なうことができ、しかも、全アンカーボルト１５は、下端が調整プレート１４に固定され、上端が保持枠１６で結合化されているので、アンカーボルト１５の配置ピッチに狂いが生じないだけでなく、全アンカーボルト１５の垂直芯出しとレベル出しが一度に行なえることになる。
【００３０】
なお、レベル調整ボルト１３は、長くすることにより上下の調整範囲が大きくなり、構築せんとする基礎の高さに対して広範な対応が可能になり、上記のようなアンカーボルト１５のレベル出し後に、レベル調整ボルト１３の余剰部分を切断除去するようにしてもよい。
【００３１】
また、アンカーボルト固定装置１１は、調整プレート１４と保持枠１６の間にアンカーボルト１５が起立するだけの構造になっているので、周囲は隙間が多いと共に内部も空間になり、従って、基礎用鉄筋のアンカーボルト固定装置１１内への配筋作業が簡単に行なえることになる。
【００３２】
この発明のアンカーボルト固定装置１１は、上記のような構成であり、図４のように、上述した組み立て状態で、基礎構築部分のベースコンクリートＡ上に設置固定し、全アンカーボルト１５の垂直芯出しとレベル出しを行ない、上記のように、基礎用鉄筋の配筋と基礎用型枠の組み立て後に、この型枠内にコンクリートを打設して基礎Ｂを構築する。このとき、基礎Ｂの上端面は保持枠１６とその下面側のナット２１が露出するように設定される。
【００３３】
調整プレート１４上に立設した各アンカーボルト１５は、その上端が保持枠１６で結合されているので、各アンカーボルト１５の配置における剛性が高まり、基礎用型枠内に打設したコンクリートの衝撃を受けても、各アンカーボルト１５に変形や曲がりの発生がなく、各アンカーボルト１５に芯振れが生じないことになる。
【００３４】
図５のように、コンクリートの凝固後に型枠を解体すると共に、雄ねじ１５ｂに対してナット２１を緩めることでアンカーボルト１５の上端から保持枠１６を取り外し、基礎Ｂ上に突出したアンカーボルト１５群の上端雄ねじ１５ｂに、予め鉄骨柱２２が溶接されたベースプレート１７の取り付け孔を嵌め、このベースプレート１７を基礎Ｂ上に重ね、雄ねじ１５ｂにねじ込んだナット２１の締め付けて基礎Ｂ上にベースプレート１７を固定化すれば、基礎Ｂ上に鉄骨柱２２が建て込まれることになる。
【００３５】
このように、基礎Ｂ内に埋設されたアンカーボルト固定装置１１のアンカーボルト１５にベースプレート１７を締結することにより、建て込まれた鉄骨柱２２の基礎Ｂに対する固定強度が保たれることになる。
【００３６】
【発明の効果】
以上のように、この発明によると、底部プレート上に複数本のレベル調整ボルトで高さの調整が可能となるよう支持した調整プレート上に複数本のアンカーボルトを立設し、上記アンカーボルト群の上端部を着脱可能に取り付けられる保持枠で結合するようにしたので、全アンカーボルトは、下端が調整プレートに固定され、上端が保持枠で結合化されているので、アンカーボルトの配置ピッチに狂いが生じないだけでなく、全アンカーボルトの垂直芯出しとレベル出しが一度に行なえることになり、上記垂直芯出しとレベル出し作業の能率と精度を向上させることができる。
【００３７】
また、調整プレートと保持枠の間にアンカーボルトが起立するだけの構造になっているので、周囲は隙間が多いと共に内部も空間になり、従って、基礎用鉄筋のアンカーボルト固定装置内への配筋作業が簡単に行なえる。
【００３８】
更に、各アンカーボルトは、その下端を調整プレート上に固定し、上端を保持枠で結合したので、各アンカーボルトの配置における剛性が高まり、基礎用型枠内に打設したコンクリートの衝撃を受けても、各アンカーボルトに変形や曲がりの発生がなく、各アンカーボルトに芯振れが生じない。
【図面の簡単な説明】
【図１】この発明に係るアンカーボルト固定装置の組み立て状態を示す斜視図
【図２】この発明に係るアンカーボルト固定装置の組み立て状態を示す縦断面図
【図３】この発明に係るアンカーボルト固定装置のベースプレート取り付け状態を示す斜視図
【図４】上記アンカーボルト固定装置を基礎捨てコンクリート上に設置した状態を示す縦断正面図
【図５】基礎内に上記アンカーボルト固定装置を埋設した状態を示す縦断正面図
【図６】従来のアンカーボルト固定装置を示す斜視図
【図７】従来のアンカーボルト固定装置の他の例を示す正面図
【符号の説明】
１１　アンカーボルト固定装置
１２　底部プレート
１３　レベル調整ボルト
１４　調整プレート
１５　アンカーボルト
１６　保持枠
１７　ベースプレート
１８、２１　ナット
【図１】
2004019303.tif 000003
【図２】
2004019303.tif 000004
【図３】
2004019303.tif 000005
【図４】
2004019303.tif 000006
【図５】
2004019303.tif 000007
【図６】
2004019303.tif 000008
【図７】
2004019303.tif 000009